(57)【要約】【課題】本発明は、遊技球が流下する状態を遊技領域の前面及び後面の両方から楽しめる範囲を広くするととともに、球詰まり除去作業の簡単にすること。【解決手段】パチンコ遊技機１は、その遊技盤３を覆うガラス板１６と、ガラス板１６及び遊技盤３の間に配置され遊技盤３とほぼ同じ大きさを有する中板１７とを備える。  中板１７は、ガラス板１６と対向する前面側遊技領域Ｆｆと後面側遊技領域Ｆｒとを有し、両面の全域に遊技くぎ１９が植設される。  さらに中板１７には、遊技盤３に打ち出されたパチンコ球Ｂが、後面側遊技領域Ｆｒから前面側遊技領域Ｆｆへ、又は前面側遊技領域Ｆｆから後面側遊技領域Ｆｒへ移動可能となる貫通路２１が形成されている。【選択図】図１
2007259956.tif 000002
【特許請求の範囲】
【請求項１】
遊技球を遊技盤に打ち出して自然落下させることにより遊技者が入賞獲得を目指して遊技する遊技機において、
前記遊技盤を覆うガラス板と、
このガラス板及び前記遊技盤の間に配置され遊技盤とほぼ同じ大きさを有する中板とを備え、
中板は、前記ガラス板と対向する側に位置する前面の全域及び前記遊技盤と対向する側に位置する後面の全域に遊技くぎが植設されることにより、それぞれ前面側遊技領域及び後面側遊技領域とされ、
さらに中板には、遊技盤に打ち出された遊技球が、後面側遊技領域から前面側遊技領域へ、又は前面側遊技領域から後面側遊技領域へ移動可能となる貫通路が形成されていることを特徴とする遊技機。
【請求項２】
前記中板の貫通路は、
遊技球が入る球入口と、
遊技球が出る球出口とを有し、
前記球入口に対して前記球出口が下方に位置するように、当該貫通路が前記中板に対して傾斜状態にあることを特徴とする請求項１に記載の遊技機。
【請求項３】
前記ガラス板及び中板は、それぞれ遊技機の筐体に対して、開閉自在に取り付けられていることを特徴とする請求項１又は２に記載の遊技機。
【請求項４】
前記遊技盤は複数の入賞口を有し、
前記中板は、当該中板が閉じられている状態にあるときに前記複数の入賞口のうちの一つの入賞口に対し、遊技球を導入するための導入口を有し、
この導入口には、前記中板が閉じられると、前記複数の入賞口のうちの一つの入賞口と接続される接続路を有することを特徴とする請求項３に記載の遊技機。
【請求項５】
前記中板は、透明又は半透明の材料で形成されていることを特徴とする請求項１〜４のいずれかに記載の遊技機。
【請求項６】
前記接続路は、断面が円形、又は上方に開口する溝型状の管であることを特徴とする請求項１〜５のいずれかに記載の遊技機。
【発明の詳細な説明】
【技術分野】
【０００１】
本発明は、遊技球を媒体として遊技する遊技機に関する。
【背景技術】
【０００２】
この種の遊技機としては、パチンコその他の遊技機が周知である。
例えばパチンコ遊技機の場合、その遊技性は、特別な遊技状態となる大当たりの引き当てのため、そのトリガーとなる特定の入賞口へ入賞させることのみにあるのではない。遊技盤中央に設けられ、液晶表示ユニット等で構成される可変表示装置や、いわゆる役物といわれる各種仕掛け物を動作させることによって行われる各種演出を楽しむことにもある。
【０００３】
また、遊技盤の遊技領域には、風車及び遊技くぎその他の障害物が設けられている。遊技領域の上部に打ち出された遊技球は、これら障害物との接触によって、その進路が不規則に変化しながら流下する。
【０００４】
ところで、前記可変表示装置によって表示される図柄変動が、流下するパチンコ球によって見えずらくならないように、可変表示装置の上部には、飾りを兼ねた覆いを設けたり、この覆いに入賞口を形成し、そこに入賞したパチンコ球を可変表示装置の下方に誘導するワープルートを設けたりしている。
【０００５】
しかし、近年、可変表示装置の大型化が進み、その影響で遊技領域のうち風車・遊技くぎその他の障害物の設置領域が縮小し、パチンコ球の流れを目で追って楽しむパチンコ遊技機本来の遊技性を損なうという問題が提起されている。
【０００６】
そこで、特許文献１は、表示装置の大型化に伴い、遊技領域のうち風車・遊技くぎその他の障害物の設置領域を実質上縮小させることがなく、それ故、遊技機本来の遊技性を損なわれないようにした遊技機を開示する。
【特許文献１】特開２００５−９５６９８号公報
【０００７】
特許文献１は、図１１に示すように、遊技盤Ａの一部に設けられた表示装置である液晶ユニットＣ１に、透明板３０を有する透明板ユニットＢ１が設けられたパチンコ遊技機を開示する。透明板３０の前後両面には、それぞれ風車・遊技くぎ・入賞口を有する。パチンコ球は、透明板３０の前面又は後面で流下し、この時に前記風車や遊技くぎに当たったり、または入賞口に入賞したりする。
【０００８】
したがって特許文献１では、これまで遊技盤の前面にしかなかった風車・遊技くぎ・入賞口が、実質上、遊技盤の後面にも形成されたと同じになるといえる。このため、表示装置が大型化することに起因する遊技領域の縮小化問題を、遊技領域でなかった箇所に遊技領域を補填するという形態で回避する。
【０００９】
しかし、特許文献１に係る遊技領域の補填は、液晶ユニットＣ１の前面に設けられた透明板ユニットＢ１の大きさに限定される。また、特許文献１の提案により、遊技者は透明板３０の前面ばかりか後面からもパチンコ球の流下する状態を楽しめるようになったものの、その範囲は透明板ユニットＢ１の大きさに限定される。したがって、特許文献１が開示するパチンコ遊技機では、遊技領域の前・後両面からパチンコ球の流下状態を広範囲で見たいとする要望に対しては十分なものとは言い難かった。
【００１０】
一方、透明板３０は、透明板ユニットＢ１を構成する枠体２０の内壁面に形成した溝部２０ａに透明板３０をはめ込むことで取り付けられる。当該取り付けにより、透明板３０の裏面と、枠体２０と、液晶ユニットとによって空間Ｓが画成される。
【００１１】
ところで、空間Ｓにおいて球詰まりが生じると、パチンコ遊技機の前面ガラスを開き、透明板ユニットＢ１を遊技盤から取り外し、透明板３０を溝部２０ａから取り外し、詰まり球を除く。その後、透明板３０を溝部２０ａに嵌め込こみ、透明板ユニットＢ１を遊技盤に取り付け、前面ガラスを閉じて一連の球詰まり除去作業が終了する。そしてこの間、遊技者を待たせることになる。
【００１２】
遊技盤の前面にのみ障害物が取り付けられた場合の従来の球詰まり除去作業では、前面ガラスを空け、球詰まりを除去し、また前ガラスを閉じるだけの作業であったから、特許文献１の球詰まり除去作業は大仕事の感を払拭できない。
【００１３】
加えて、そのような作業に不慣れな者が、球詰まりの除去にあたった場合には、作業時間はさらに増大し、遊技者の苛立たしさは一層募る傾向にあると思われる。
【発明の開示】
【発明が解決しようとする課題】
【００１４】
本発明は、上記実情に鑑みでなされたものであり、その解決しようとする課題は、パチンコ球その他の遊技球が流下する状態を遊技領域の前面及び後面の両方から見ることができる遊技機において、遊技球が流下する状態を実質上遊技領域の前・後両面から見て楽しめる範囲を広くするととともに、球詰まり除去作業の簡便化が可能な遊技機を提供することにある。
【課題を解決するための手段】
【００１５】
本発明は、上記課題を解決するために以下の手段を採用した。
【００１６】
すなわち、本発明は遊技球を遊技盤に打ち出して自然落下させることにより遊技者が入賞獲得を目指して遊技する遊技機において、前記遊技盤を覆うガラス板と、このガラス板及び前記遊技盤の間に配置され前記遊技盤とほぼ同じ大きさを有する中板とを備え、中板は、前記ガラス板と対向する側に位置する前面の全域及び前記遊技盤と対向する側に位置する後面の全域に遊技くぎが植設される。このようにすることで、中板は、前面側遊技領域と後面側遊技領域とを備える。さらに中板には、遊技盤に打ち出された遊技球が、後面側遊技領域から前面側遊技領域へ、又は前面側遊技領域から後面側遊技領域へ移動可能となる貫通路が形成されている。
【００１７】
遊技盤はガラス板で覆われ、ガラス板と遊技盤との間に位置する中板は遊技盤とほぼ同じ大きさを有し、中板は前面側遊技領域と後面側遊技領域とを有するので、中板を使用しての遊技領域は、遊技盤だけを利用した場合のこれまでのパチンコ遊技機の場合のほぼ２倍の面積になる。
【００１８】
前記中板の貫通路には、遊技球が入る球入口と、遊技球が出る球出口とを有し、前記球入口に対して前記球出口が下方に位置するように、当該貫通路が前記中板に対して傾斜状態にあるから、遊技機のねかせがあっても、換言すれば遊技機が傾いていても遊技盤に打ち出された遊技球は、中板の後面側遊技領域から前面側遊技領域へ、又は前面側遊技領域から後面側遊技領域へ確実に移動可能となる。
【００１９】
このため、打ち出された遊技球の数が、後面側遊技領域と前面側遊技領域とでどちらも同じであったならば、中板の前面側遊技領域又は後面側遊技領域のいずれか一方で遊技球
が偏って流下してしまうことがなく、いずれの側でも均等に遊技球が流下する。
【００２０】
ガラス板及び中板は、それぞれ遊技機の筐体に対して、開閉自在に取り付けられていることが好ましい。このようにすることで、遊技くぎが中板の両面にあっても中板を開くことにより、中板の後面側にある遊技くぎの調整を簡単に行える。加えて前面側遊技領域で球詰まりがあった場合は、ガラス板を開くことで、及び後面側遊技領域で球詰まりがあった場合は、中板を開くことで球詰まりを除去できる。
【００２１】
遊技盤に複数の入賞口を備えるようにし、前記中板には、当該中板が閉じられている状態にあるときに前記複数の入賞口のうちの一つの入賞口に対し、中板の前面側から中板経由で遊技球を導入する導入口を設ける。そして、中板が閉じられている状態にあるときに、遊技盤の複数の入賞口のうちの一つの入賞口と接続される接続路を前記導入口が有するようになっている。このようにすることで、中板の後面側からばかりでなく前面側からも遊技盤の入賞口に遊技球を入れることができる。
【００２２】
中板を透明又は半透明の材料で形成することで、遊技球が流下する状態を実質上、遊技領域の前面及び後面の両方から楽しめる。しかも、中板を使用しての遊技領域は、遊技盤だけを利用した場合のこれまでのパチンコ遊技機の場合のほぼ２倍の面積になるから、遊技球が流下する状態を遊技領域の前面及び後面の両方から楽しめる範囲を大幅に拡大することができる。
【００２３】
また前記接続路は、その断面が円形又は上方に開口した溝型状の管であると、中板の後面側においても接続路に球が入るようにすることができ、それだけ入賞する可能性が高まる。
【発明の効果】
【００２４】
本発明によれば、表示装置の大型化を許容しつつ、遊技球が流下する状態を遊技領域の前面及び後面の両方から楽しめる範囲を広くするととともに、球詰まり除去作業の簡便化を期待することができる。
【発明を実施するための最良の形態】
【００２５】
以下、図面を参照して本発明に係る遊技機の好適な実施形態を説明する。
図１及び図２に示すように、パチンコ遊技機１は、遊技者がパチンコ球Ｂを筐体２によって囲われた遊技盤３上に発射ハンドル４を操作して打ち出し、自然落下させることにより、遊技盤３上に設けられた各種入賞口への入賞を目指して遊技するための遊技機である。
【００２６】
そして入賞口の一つである始動口５に入賞すると、遊技盤３の中央に設けられたセンター役物６が作動する。センター役物６には、パチンコ遊技機１のテーマに即した絵や数字を表した特有の図柄を表示画面７ａに表示する図柄変動表示装置７を主たる構成部材とする。
【００２７】
図柄変動表示装置７の図柄は一旦作動した後に停止する。そして、停止した時の図柄の組合せが、表示画面７ａに揃えば大当たりとなり、遊技者は多量のパチンコ球Ｂを獲得できる。
【００２８】
大当たりになると、大入賞口（通称アタッカー）１１が大きく開口し、１回につき所定時間（例えば３０秒）、若しくは所定個数（例えば１０個）のパチンコ球Ｂが入賞するまで大入賞口１１は開口状態を維持する。大入賞口内には、図示しないいわゆるＶゾーンという特定領域があり、大入賞口に入賞したパチンコ球Ｂのうちの１個でもＶゾーンを通過
すれば、大入賞口１１を一旦閉じた後、再び大入賞口１１が開く。そして、予め定められた回数（ラウンド数）に至るまで当該開閉動作を繰り返す。
【００２９】
センター役物６の下には、電動チューリップ１０が設けられ、センター役物６，始動口５，電動チューリップ１０，大入賞口１１が直線状に配列されている。そして、これらを遊技盤３の中心にしてほぼ線対称に各種装置が配置されている（図２〜４参照）。
【００３０】
各種装置とは、例えばランプ風車１２，通過ゲート１３，前記始動口５以外の各種入賞口，サイドランプその他の電飾１４を挙げられる。各種入賞口としては、例えば電動チューリップ１０の両側に設けられている入賞チャッカ１５ｒ，１５ｌを挙げられる。
【００３１】
また図１に示すように、遊技盤３にはこれを覆うガラス板１６と、ガラス板１６及び遊技盤３の間に配置され遊技盤３とほぼ同じ大きさを有する中板１７とが、図示しない蝶番によってそれぞれ筐体２に開閉自在に取り付けられている。なお、中板１７は、ガラスやプラスチックその他の透明又は半透明な材料でできている（図６，９参照）。半透明の場合、中板１７全部でなく部分的であってもよい。
【００３２】
中板１７は、ガラス板１６と対向する側に位置する前面の全域及び遊技盤３と対向する側に位置する後面の全域に遊技くぎ１９が多数植設され、それぞれ前面側遊技領域Ｆｆ及び後面側遊技領域Ｆｒという（図６〜１０参照）。なお遊技くぎ１９は一部の遊技くぎ１９のみ示す。
【００３３】
また中板１７には、遊技盤３に打ち出されたパチンコ球Ｂが、後面側遊技領域Ｆｒから前面側遊技領域Ｆｆへ、又は前面側遊技領域Ｆｆから後面側遊技領域Ｆｒへ移動可能となる貫通路２１が、複数（この実施例では６つ）、形成されている（図２，３等参照）。
【００３４】
貫通路２１は、遊技球が入る球入口２１ｉと、パチンコ球Ｂが出る球出口２１ｏとを有する（図５〜７参照）。そして、球入口２１ｉに対して球出口２１ｏの方が下方に位置するように、貫通路２１は中板１７に対して傾斜された状態で取り付けられている（図７，９参照）。なお、貫通路２１の傾斜具合は、パチンコ遊技機１のねかせ、すなわち、パチンコ遊技機１がホールの図示しない島に設置されるときのパチンコ遊技機の後方（遊技者の側から見た向こう側）への傾斜角度以上である（図７，９参照）。またねかせ具合は、傾斜計で測定しなければわからないほど、すなわち、一見しただけでは判らない程わずかである（図７，９参照）。図６，７及び９では、これらの図面に正対した状態において、鉛直線Ｖよりも中板１７の中心線Ｃが右側に位置する。なお右側がパチンコ遊技機の後ろであり、左側が前を示唆する。
【００３５】
また、球入口２１ｉは上方に開口され、球出口２１ｏは下方に開口されている（図５〜１０参照）。なお図６，７及び９からわかるように、貫通路２１は、球入口２１ｉが前面側遊技領域Ｆｆにある場合は球出口２１ｏは後面側遊技領域Ｆｒにあり、反対に球入口２１ｉが後面側遊技領域Ｆｒにある場合は球出口２１ｏは前面側遊技領域Ｆｆにある。
【００３６】
さらに中板１７は、中板１７が閉じられているときにおいて、遊技盤３に設けられている複数ある入賞口のうちのいずれか一つ、又は複数の入賞口（例えば入賞チャッカ１５ｒ若しくは１５ｌ又は両方）にパチンコ球Ｂを導入するための導入口２３を有する。導入口２３には、中板１７が閉じられると、複数の入賞口のうちの一つの入賞口と接続される接続路２５が挿入され、外れないように接着剤等により固着されている。接続路２５は、断面が円形又は上方に開口した溝型状の管体である。管体とはパチンコ球Ｂが通ることが可能であればその形態はどうでもよく、硬くても軟らかくてもよい。
【００３７】
次にこのような構成のパチンコ遊技機の作用効果について述べる。
遊技盤３は中板１７及びガラス板１６で覆われ、中板１７は遊技盤３とほぼ同じ大きさを有し、中板１７は前面側遊技領域Ｆｆ及び後面側遊技領域Ｆｒとを有するので、中板１７を使用しての遊技領域は、遊技盤３だけを利用した場合のこれまでのパチンコ遊技機のほぼ２倍の面積になる。このため表示装置の大型化を許容しつつ十分な遊技領域を確保することができる（図１，２参照）。
【００３８】
中板１７の貫通路２１には、パチンコ球Ｂが入る球入口２１ｉと、パチンコ球Ｂが出る球出口２１ｏとを有し、球入口２１ｉに対して球出口２１ｏが下方に位置するように、貫通路２１が中板１７に対して傾斜状態で形成されているから、パチンコ遊技機１のねかせがあっても、換言すればパチンコ遊技機１が傾いていても、遊技盤３に打ち出されたパチンコ球Ｂは、中板１７の後面側遊技領域Ｆｒから前面側遊技領域Ｆｆへ、又は前面側遊技領域Ｆｆから後面側遊技領域Ｆｒへ確実に移動する（図６，９の矢印参照）。
【００３９】
このため、打ち出されたパチンコ球Ｂの数が、後面側遊技領域Ｆｒと前面側遊技領域Ｆｆとで同じであったならば、中板１７の前面側遊技領域Ｆｆ又は後面側遊技領域Ｆｒのいずれか一方でパチンコ球Ｂが偏って流下してしまうことがなく、いずれの側でも均等に遊技球が流下することになる。
【００４０】
ガラス板１６及び中板１７は、それぞれパチンコ遊技機１の筐体２に対して、開閉自在に取り付けられているので、遊技くぎ１９が中板１７の後面側遊技領域Ｆｒ及び前面側遊技領域Ｆｆの両面にあっても、中板１７を開くことにより、中板１７の後面側にある遊技くぎ１９の調整を簡単に行える。
【００４１】
また、複数の入賞口のうちの一つの入賞口である入賞チャッカ１５ｒ（１５ｌでも又はそれらの両方でもよい）に対し、中板１７には導入口２３が設けられ、導入口２３には、中板１７が閉じられることで、入賞チャッカ１５ｒと接続される接続路２５を有するため、中板１７の前面側からも遊技盤３の入賞口である入賞チャッカ１５ｒ，１５ｌに直接遊技球を入れられる（図９参照）。
【００４２】
中板１７を透明又は半透明の材料で形成することで、パチンコ球Ｂが流下する状態を実質上、遊技領域の前面及び後面の両方から楽しめる。しかも中板１７を使用しての遊技領域は、遊技盤だけを利用した場合のこれまでのパチンコ遊技機のほぼ２倍の面積になるから、パチンコ球Ｂが流下する状態を遊技領域の前面及び後面の両方から楽しめる範囲を大幅に拡大することができる。
【００４３】
接続路２５を断面が上方に開口した溝型状の管体とすれば、中板１７の後面側遊技領域Ｆｒを流下するパチンコ球Ｂも入賞チャッカ１５ｒ（１５ｌ）に入賞するようにできる（図６参照）。
【００４４】
なお、接続路２５ｇが断面円形の管であれば、中板１７の前面側遊技領域Ｆｆからのみ入賞チャッカ１５ｒ（１５ｌ）には入賞することになる。
【００４５】
また管体はパイプ管でもゴム管でも蛇腹状をした管状のものでもよい。このようにすると、管の材質、経路の長さ、管の曲率等管の状態によってパチンコ球Ｂの流下速度やパチンコ球Ｂが入賞するまでの時間に変化を付けられるので興趣が高まる。
【００４６】
パチンコ遊技機１にあっては、パチンコ球Ｂが流下する状態を遊技領域の前面及び後面の両方から楽しめるので、表示装置の大型化を許容しつつ十分な（従来の約２倍）遊技領域を確保することができる。このような効果を奏する上に、パチンコ球Ｂが後面側遊技領
域Ｆｒで詰まっても、中板１７を開閉できるので、中板１７を開くことにより、後面側遊技領域Ｆｒにおける球詰まり除去作業を簡単に行える。なお、前面側遊技領域Ｆｆでパチンコ球Ｂが詰まった場合はガラス板１６のみ開けることは言うまでもない。
【００４７】
本発明は上述の実施例にのみ限定されるものではなく、本発明の要旨を逸脱しない範疇において種種変更を加え得ることは勿論である。
【００４８】
例えば、この実施形態ではデジタルパチンコに本発明遊技機を適用したものを例示したが、いわゆる羽根ものや権利物並びにそれらの組み合わせからなるパチンコ遊技機に適用してもよい。
【００４９】
また中板１７の前面側遊技領域Ｆｆ及び後面側遊技領域Ｆｒのうちの一方の面に設けられている遊技くぎ１９は、他方の面に設けられている遊技くぎ１９よりも、前記入賞口に遊技球を導入し易くなるように釘調整するようにしてもよい。
【図面の簡単な説明】
【００５０】
【図１】本実施の形態に係るパチンコ遊技機の斜視図であってガラス板と中板を開いた状態を示す図である。
【図２】本実施の形態に係るパチンコ遊技機の斜視図であってガラス板と中板を閉じた状態を示す図である。
【図３】本実施の形態に係るパチンコ遊技機の中板を閉じた状態で遊技盤を見た正面図である。
【図４】本実施の形態に係るパチンコ遊技機の遊技盤のみ示す正面図である。
【図５】中板の拡大斜視図である。
【図６】図１のパチンコ遊技機の縦断面であって、パチンコ球Ｂの流下経路の一例を示す縦断面図である。
【図７】図６の要部拡大図である。
【図８】図６の拡大斜視図である。
【図９】図１のパチンコ遊技機の縦断面であって、パチンコ球Ｂの流下経路の他の一例を示す縦断面図である。
【図１０】図９の拡大斜視図である。
【図１１】従来技術を説明するための図である。
【符号の説明】
【００５１】
１  パチンコ遊技機（遊技機）
２  筐体
３  遊技盤
５  始動口
６  センター役物
７  図柄変動表示装置
７ａ  表示画面
１０  電動チューリップ
１１  大入賞口
１２  ランプ風車
１３  通過ゲート
１５ｒ  入賞チャッカ
１５ｌ  入賞チャッカ
１６  ガラス板
１７  中板
１９  遊技くぎ
２０  枠体
２０ａ  溝部
２１  貫通路
２１ｉ  球入口
２１ｏ  球出口
２３  導入口
２５  接続路
３０  透明板
Ａ  遊技盤
Ｂ  パチンコ球（遊技球）
Ｂ１  透明板ユニット
Ｃ１  液晶ユニット
Ｆｆ  前面側遊技領域（ガラス板と対向する側の面）
Ｆｒ  後面側遊技領域（遊技盤と対向する側の面）
Ｓ  空間
【図１】
2007259956.tif 000003
【図２】
2007259956.tif 000004
【図３】
2007259956.tif 000005
【図４】
2007259956.tif 000006
【図５】
2007259956.tif 000007
【図６】
2007259956.tif 000008
【図７】
2007259956.tif 000009
【図８】
2007259956.tif 000010
【図９】
2007259956.tif 000011
【図１０】
2007259956.tif 000012
【図１１】
2007259956.tif 000013